(57)【要約】【課題】多数の音楽カードを次々に交換して音楽の効果を確認する作業を、簡潔な操作で行うことができるようにする。【解決手段】内蔵固定メディア、リムーバブルメディアにアクセス可能であり、映像は内蔵固定メディア、音楽ＢＧＭはリムーバブルメディアから再生している場合、音楽ＢＧＭデータが記録されているリムーバブルメディアが新たに装着された場合には、前記新たに装着されたリムーバブルメディアに記録されている音楽ＢＧＭに切り替えて再生する。【選択図】図４
2010268246.tif 000002
【特許請求の範囲】
【請求項１】
記録媒体に記録されている画像データ及び音声データを再生する記録媒体アクセス手段を複数備えた再生装置であって、
前記画像データの連続再生に合わせて前記音声データを再生している時に、前記記録媒体アクセス手段により、読み出し可能な記録媒体が新たに認識され、前記新たに認識された記録媒体に再生可能な音声データが格納されていた場合には、前記新たに認識された記録媒体に記録されている音声データを再生するように前記記録媒体アクセス手段を制御するアクセス制御手段を有することを特徴とする再生装置。
【請求項２】
前記記録媒体から読み出した前記音声データを一時的に記憶する一時記憶手段を有し、
前記アクセス制御手段は、前記画像データの連続再生に合わせて前記音声データを再生している時に、前記記録媒体アクセス手段により、読み出し可能な記録媒体が新たに認識され、前記新たに認識された記録媒体に再生可能な音声データが格納されていた場合には、前記一時記憶手段から読み出される前記音声データの再生を継続し、前記再生している画像データの再生が終了し、次の画像データの再生に切り替わると同時に、前記画像データの再生にあわせて再生する音声データを前記新たに認識された記録媒体から再生するように切り替えることを特徴とする請求項１に記載の再生装置。
【請求項３】
前記画像データの連続再生に合わせて前記音声データを再生している時に、前記記録媒体アクセス手段により、読み出し可能な記録媒体が新たに認識され、前記新たに認識された記録媒体に再生可能な音声データが格納されていた場合には、
前記アクセス制御手段は、前記再生している画像データを、次の画像データに直ぐに切り替えると同時に、前記画像データの再生にあわせて再生する音声データを前記新たに認識された記録媒体から再生するように切り替えることを特徴とする請求項１または２に記載の再生装置。
【請求項４】
前記画像データの連続再生に合わせて前記音声データを再生している時に、前記記録媒体アクセス手段により、読み出し可能な記録媒体が新たに認識され、前記新たに認識された記録媒体に再生可能な音声データが格納されていた場合には、
前記アクセス制御手段は、前記再生している画像データのクリップを先頭に戻すと同時に、前記画像データの再生にあわせて再生する音声データを前記新たに認識された記録媒体から再生するように切り替えることを特徴とする請求項１〜３の何れか１項に記載の再生装置。
【請求項５】
前記画像データの連続再生に合わせて前記音声データを再生している時に、前記記録媒体アクセス手段により、読み出し可能な記録媒体が新たに認識され、前記新たに認識された記録媒体に再生可能な音声データが格納されていた場合には、
前記再生している画像データのクリップを、前記画像データの連続再生の先頭に戻すと同時に、前記画像データの再生にあわせて再生する音声データを前記新たに認識された記録媒体から再生するように切り替えることを特徴とする請求項１〜４の何れか１項に記載の再生装置。
【請求項６】
前記アクセス制御手段は、前記再生している音声の切り替えを行う前に、前記再生されている音声データの音量を徐々に無音状態まで下げていく、フェードアウト処理を行うとともに、前記再生している音声の切り替えが行われた後に、前記再生される音声データの音量を無音状態から徐々に上げて行く、フェードイン処理を行うことを特徴とする請求項１〜５の何れか１項に記載の再生装置。
【請求項７】
前記画像データは、ユーザが撮影操作を行うと、あらかじめ設定された第１の設定時間の動画撮影が行われた後に撮影が停止する、スナップ撮影モードによって撮影された動画像データであることを特徴とする請求項１〜６の何れか１項に記載の再生装置。
【請求項８】
前記一時記憶手段として使用する記憶容量は、あらかじめ設定された第１の設定時間の長さに応じて増減することを特徴とする請求項２〜７の何れか１項に記載の再生装置。
【請求項９】
前記画像データは静止画データであって、前記画像の再生は、前記静止画データを、あらかじめ設定された第２の設定時間の間隔で切り替えながら再生を行うスライドショー再生であることを特徴とする請求項１〜８の何れか１項に記載の再生装置。
【請求項１０】
前記複数の記録媒体アクセス手段のうち、少なくとも一つは、本体に対して着脱可能なリムーバブルメディアを装着するためのメディアスロットであり、前記新たな記録媒体とは、前記メディアスロットに新たに装着されたリムーバブルメディアであることを特徴とする請求項１〜９の何れか１項に記載の再生装置。
【請求項１１】
前記複数の記録媒体アクセス手段のうち、少なくとも一つは、外部記録媒体と通信を行うインターフェースであり、前記新たな記録媒体とは、前記インターフェースに新たに接続された前記外部記録媒体であることを特徴とする請求項１〜１０の何れか１項に記載の再生装置。
【請求項１２】
前記複数の記録媒体に記録されている音声データが同一の音声データであるかを判定する音声データ同一識別手段を有し、
前記新たな記録媒体に記録されている音声データと、前記再生している音声を切り替える前に再生を行っていた記録媒体に記録されている音声データが同一であることが前記音声データ同一識別手段によって検出された場合、前記アクセス制御手段は、前記再生している音声の切り替えを行わないことを特徴とする請求項１〜１１の何れか１項に記載の再生装置。
【請求項１３】
記録媒体に記録されている画像データ及び音声データを再生する記録媒体アクセス手段を複数備えた再生装置における再生方法であって、
前記画像データの連続再生に合わせて前記音声データを再生している時に、前記記録媒体アクセス手段により、読み出し可能な記録媒体が新たに認識され、前記新たに認識された記録媒体に再生可能な音声データが格納されていた場合には、前記新たに認識された記録媒体に記録されている音声データを再生するように前記記録媒体アクセス手段を制御するアクセス制御工程を有することを特徴とする再生方法。
【請求項１４】
記録媒体に記録されている画像データ及び音声データを再生する記録媒体アクセス手段を複数備えた再生装置における画像再生の各工程をコンピュータに実行させるプログラムであって、
前記画像データの連続再生に合わせて前記音声データを再生している時に、前記記録媒体アクセス手段により、読み出し可能な記録媒体が新たに認識され、前記新たに認識された記録媒体に再生可能な音声データが格納されていた場合には、前記新たに認識された記録媒体に記録されている音声データを再生するように前記記録媒体アクセス手段を制御するアクセス制御工程をコンピュータに実行させることを特徴とするプログラム。
【請求項１５】
請求項１４に記載のプログラムを記録したことを特徴とするコンピュータ読み取り可能な記録媒体。
【請求項１６】
第１の記録媒体から動画データと音楽データを再生する第１の再生手段と、
装着された第２の記録媒体から音楽データを再生する第２の再生手段と、
動画データと音楽データを出力する出力手段と、
前記第１の記録媒体から前記動画データと第１の音楽データとを再生して前記出力手段から出力している場合に、前記第２の記録媒体が装着されると、前記第１の記録媒体から再生された第１の音楽データに代えて前記第２の記録媒体から再生された第２の音楽データを出力するように、前記第２の再生手段と前記出力手段を制御する制御手段とを備えることを特徴とする再生装置。
【請求項１７】
前記制御手段は、前記第１の記録媒体から前記動画データと第１の音楽データを再生して前記出力手段から出力している場合に、前記第２の記録媒体が装着されると、前記第２の記録媒体から音楽データを再生するように、前記第２の再生手段を制御することを特徴とする請求項１６に記載の再生装置。
【請求項１８】
前記制御手段は、前記第１の記録媒体から再生された第１の音楽データに代えて前記第２の記録媒体から再生された第２の音楽データを出力すると、前記第１の記録媒体からの音楽データの再生を停止するように、前記第１の再生手段を制御することを特徴とする請求項１６または１７に記載の再生装置。
【請求項１９】
前記第１の再生手段は複数のクリップの動画データを前記第１の記録媒体から再生し、前記制御手段は、前記第１の記録媒体から前記動画データと第１の音楽データを再生して前記出力手段から出力している場合に、前記第２の記録媒体が装着されると、前記動画データのクリップの切り替わりのタイミングに従って、前記第１の音楽データから前記第２の音楽データに切り替えて出力するように、前記出力手段を制御することを特徴とする請求項１６〜１８の何れか１項に記載の再生装置。
【請求項２０】
前記出力手段は、前記第１の記録媒体から再生された第１の音楽データと、前記第２の記録媒体から再生された第２の音楽データとを記憶するメモリを有し、前記メモリに記憶された第１の音楽データと第２の音楽データの何れかを選択して出力することを特徴とする請求項１６〜１９の何れか１項に記載の再生装置。
【請求項２１】
前記制御手段は、前記第１の記録媒体から前記動画データと第１の音楽データを再生して前記出力手段から出力している場合に装着された第２の記録媒体に音楽データが記憶されていない場合には、継続して前記第１の音楽データを出力するように前記第１の再生手段と前記出力手段とを制御することを特徴とする請求項１６〜２０の何れか１項に記載の再生装置。
【発明の詳細な説明】
【技術分野】
【０００１】
本発明は再生装置及び再生方法に関し、特に、音楽と共に画像を再生するために用いて好適な技術に関する。
【背景技術】
【０００２】
従来、動画や静止画などを撮影し、フラッシュメモリやハードディスク等の記録媒体に記録再生するビデオカメラが知られている。この種のビデオカメラでは、撮影時に画像と共に記録した音声に変えて、別途取得した音声をＢＧＭとして再生時に出力する機能を持つものがある。
【０００３】
さらに、近年では、メモリカードスロットを備えたビデオカメラが一般的になってきた。そして、ＢＧＭとして使用する音楽データをメモリカードなどから取得し、再生時にＢＧＭとして出力することも提案されている（例えば、特許文献１を参照）。
【先行技術文献】
【特許文献】
【０００４】
【特許文献１】特開２００４−３１２４６６号公報
【発明の概要】
【発明が解決しようとする課題】
【０００５】
特許文献１のように、ＢＧＭとして用いる音楽データをメモリカードから再生する場合、所望の音楽を探す必要がある。特に、現在装着されているメモリカードに所望の音楽が保存されていない場合、別のメモリカードに入れ替えて音楽を選ぶ必要がある。
【０００６】
しかしながら、この作業は、「再生中の画像と音声の再生停止」→「新たなカード挿入」→「新たなカードに再生元を切り替え」→「再生開始」、という複数の操作が必要となる。そのため、画像に合った音楽をＢＧＭとして用いるようにするには、多数のカードの中から選定する作業が必要であり、煩わしい操作を行う必要があった。
【０００７】
本発明は前述の問題点に鑑みてなされたものであり、簡単な操作で再生する音楽を切り替え、選択することができるようにすることを目的とする。
【課題を解決するための手段】
【０００８】
本発明の再生装置は、記録媒体に記録されている画像データ及び音声データを再生する記録媒体アクセス手段を複数備えた再生装置であって、前記画像データの連続再生に合わせて前記音声データを再生している時に、前記記録媒体アクセス手段により、読み出し可能な記録媒体が新たに認識され、前記新たに認識された記録媒体に再生可能な音声データが格納されていた場合には、前記新たに認識された記録媒体に記録されている音声データを再生するように前記記録媒体アクセス手段を制御するアクセス制御手段を有することを特徴とする。
【発明の効果】
【０００９】
本発明によれば、画像再生にＢＧＭ音楽を重ねて再生している時に、ＢＧＭ音楽データが入っている記録媒体が新たに装着された場合、新たに装着された記録媒体に入っている音楽データのＢＧＭ再生に切り替わるようにした。これにより、多数の音楽カードを次々に交換して音楽の効果を確認する作業を簡単に行うことが可能となる。
【図面の簡単な説明】
【００１０】
【図１】実施形態のビデオカメラの構成例を示すブロック図である。
【図２】実施形態のビデオカメラの概要を示す図である。
【図３】実施形態のビデオカメラのデータバッファの動作例を示す図である。
【図４】実施形態のビデオカメラの動作手順を示すフローチャートである。
【図５】実施形態のビデオカメラの映像・音楽データの経路を示す図である。
【図６】実施形態のビデオカメラの映像・音楽データの経路を示す図である。
【図７】実施形態のビデオカメラのデータバッファ及び再生音量制御の動作を示す図である。
【図８】実施形態におけるビデオカメラの動作手順を示すフローチャートである。
【図９】実施形態におけるビデオカメラのデータバッファの動作を示す図である。
【図１０】実施形態におけるビデオカメラのデータバッファの動作例を示す図である。
【図１１】実施形態におけるビデオカメラのデータバッファの動作例を示す図である。
【図１２】実施形態におけるビデオカメラのデータバッファの動作例を示す図である。
【発明を実施するための形態】
【００１１】
本発明を、画像再生と音楽再生とを行うビデオカメラで応用した実施形態について図面を用いて説明する。
図１は、本実施形態のビデオカメラの構成例を説明するブロック図である。
図１において、１０１は被写体を取り込む撮影レンズ、１０２は後述の撮像素子への光量を制御する絞り、１０３は、取り込んだ被写体を動画像信号に変換する撮像素子である。
【００１２】
１０４は動画像信号をサンプルホールドし、適正な信号レベルにするＣＤＳ／ＡＧＣ、１０５は、ＣＤＳ／ＡＧＣからの動画像信号をＡ／Ｄ変換し、デジタル信号処理を行うデジタル信号処理回路である。１０６は、デジタル信号処理回路からの生データを１フレーム分ずつ蓄積するフレームメモリ、１０７は、フレームメモリの画素を後述のＨ．２６４方式での記録ができるように、適切な画素数を調整する画素数調整回路である。
【００１３】
１０８は、各ブロック間で動画データ及び後述の音声データが転送される画像／音声データバス、１０９は、動画データと共に後述のハードディスクドライブまたはメモリカード１２１に記録される音声を集音するマイクロフォンである。１１０は、マイクロフォンからの音声信号を適当なレベルまで増幅する増幅器、１１１は、増幅された音声信号をＡ／Ｄ変換するＡ／Ｄコンバータである。
【００１４】
１１２は、再生モード時には後述のＨ．２６４コーデック１１４からの再生動画データ、撮影時には撮像素子１０３で撮像された映像を表示する液晶パネル、１１３は、液晶パネルを駆動する液晶ドライバである。１１４はＨ．２６４コーデックである。Ｈ．２６４コーデック１１４は、画像バスからのデジタル動画像信号を公知のＨ．２６４方式に従って圧縮符号化する。また、後述のハードディスクドライブ１１９またはメモリカード１２１から再生された動画データを伸長する。
【００１５】
１１５はデータバッファである。データバッファ１１５は、画像／音声データバス１０８を介して転送されるデータを一時的に蓄積して一時記憶し、両ブロック間の速度差を吸収するために設けられている。例えば、Ｈ．２６４コーデック１１４及びＡ／Ｄコンバータ１１１、Ｄ／Ａコンバータ１２９の画像・音声処理ブロックとハードディスクドライブ１１９及びメモリカード１２１の記録媒体ブロックの間で転送されるデータを一時的に蓄積する。また、データバッファ１１５の記憶容量は、あらかじめ設定された第１の設定時間の長さに応じて増減するようにしている。
【００１６】
１１５ａは、記録時はＨ．２６４コーデック１１４からの圧縮符号化データを後述のハードディスクドライブ１１９またはメモリカード１２１に記録する前に一時的に保持する。そして、再生時は後述のハードディスクドライブ１１９またはメモリカード１２１から読み出した圧縮符号化データを一時的に保持するバンク０領域である。１１５ｂは、再生時に後述のハードディスクドライブ１１９から読み出した後述のＢＧＭ用音楽データを一時的に保持するバンク１領域である。１１５ｃは、再生時に後述のメモリカード１２１から読み出した後述のＢＧＭ用音楽データを一時的に保持するバンク２領域である。
【００１７】
１１６はアナログ映像信号を出力するビデオ出力端子、１１７は、液晶パネル１１２で表示されるものと同一の動画像をアナログ化し、ビデオ出力端子１１６に出力するＮＴＳＣエンコーダである。１１８は記録媒体アクセスを行い、後述のハードディスクドライブ１１９に対してデータの読み書きを行うＡＴＡインターフェースである。１１９は本実施形態のビデオカメラに内蔵されたハードディスクドライブ（ＨＤＤ）である。ＨＤＤ１１９は、画像／音声データバス１０８からのＨ．２６４動画データを記録する。
【００１８】
１２０は記録媒体アクセス手段として機能し、後述のメモリカード１２１を装着・保持し、データの読み書きを行うフラッシュメモリカードドライバ／スロットである。本体に対して着脱可能なリムーバブルメディアを装着するためのメディアスロットであり、前記新たな記録媒体とは、前記メディアスロットに新たに装着されたリムーバブルメディアが着脱される。
【００１９】
１２０ａは、メモリカード１２１が本体に装着されているかを検出するメモリカード検出スイッチである。１２１は、ＨＤＤ１１９と選択的に用いられる、第２の記録媒体であり、本体に対して脱着可能なメモリカード、１２２は、後述のＵＳＢコントローラ１２３からのデータを出力するＵＳＢ端子であり、外部記録媒体と通信を行う。すなわち、本実施形態のビデオカメラは、記録媒体アクセス手段を複数備えている。
【００２０】
１２３はＵＳＢホスト機能を持つＵＳＢコントローラである。ＵＳＢコントローラ１２３は、ＨＤＤ１１９またはメモリカード１２１に記録されたデータをファイル形式の状態で外部機器に送信し、また、外部機器から各種のデータをファイル形式で受信する。１２４は、使用者が本体に対する撮影操作を行うための操作キー、１２５は、機器全体のモードを制御したり、操作キー１２４を検出して各種機能の実行を制御したりするメインマイコンである。
【００２１】
メインマイコン１２５は、動画データの連続再生に合わせて前記音声データを再生している時に、記録媒体アクセス手段により、読み出し可能な記録媒体が新たに装着されたか認識する。そして、新たに認識された記録媒体に再生可能な音声データが格納されていた場合には、新たに認識された記録媒体に記録されている音声データを再生するように前記記録媒体アクセス手段を制御するアクセス制御（音声再生制御）を行う。
【００２２】
１２６は、メインマイコン１２５が一時的なデータを保管するＲＡＭ、１２７は、メインマイコン１２５の所定の状態を記憶する不揮発性メモリであるＥＥＰＲＯＭである。１２８は、メインマイコン１２５と各ブロックの間で、本体のモードや状態に応じた制御信号及びレスポンス信号が転送される制御信号バス、１２９は画像／音声データバス１０８からのデジタル音声信号をアナログ化するＤ／Ａコンバータである。１３０は、Ｄ／Ａコンバータ１２９からのアナログ音声信号を増幅、音声として出力するスピーカである。
【００２３】
また、図２は、本実施形態のビデオカメラの概要を示す図である。
図２において、２０１はビデオカメラ本体、１１９は、ビデオカメラ２０１に内蔵される、固定式記録媒体であるＨＤＤ、１１８はビデオ出力端子、１２２は、ＵＳＢ端子、１２１は、脱着可能な記録媒体であるメモリカードである。２０２は、外部接続型のＨＤＤ（図１には示していない外部記録媒体）、２０３は、外部接続型ＨＤＤ２０２とＵＳＢ端子１２２との間を接続するＵＳＢケーブルである。
【００２４】
図３は、データバッファ１１５の動作の概要を示す図である。
図３において、バンク０乃至バンク２の特性図の縦軸は各バッファ内のデータ蓄積量、横軸は時間の経過を示している。また「出力画像」は液晶パネル１１２で再生画像が表示される、後述のスナップ動画撮影モードにおいて撮影された複数の動画クリップのうち、再生されている動画クリップの時間的経過を示している。「出力音楽」はスピーカ１３０で出力される音楽のデータ源の時間的経過を示している。
【００２５】
ここで、本実施形態のビデオカメラにおける、動画の撮影について説明する。
動画クリップは、ユーザが任意に記録開始-停止の操作を行う通常の撮影モードとは別に設けられるスナップ動画撮影モードにおいて撮影された動画像データである。通常の撮影モードでは、ユーザによる撮影開始の指示から撮影停止の指示までの間にＨＤＤ１１９に記録される一連の動画データが一つの動画ファイルとして記録される。一方、スナップ撮影モードでは、ユーザが記録開始の撮影操作を行うと、あらかじめ設定された第１の設定時間だけ動画データを記録し、その後、自動的に記録を停止するモードである。また、スナップ撮影モードにおいても、音声が動画データと共に記録される。例えば、スナップ撮影モードでは、撮影開始の指示から４秒間などあらかじめ設定された時間の動画記録を行った後に記録が自動停止するようにしている。
【００２６】
また、本実施形態では、この様にスナップ撮影モードで撮影された複数の動画データを連続して再生するスナップ再生モードの機能を持つ。スナップ再生モードでは、スナップ撮影モードで撮影された複数のクリップの動画データの再生順をランダムに入れ替えて再生する。このとき、動画データと共に記録された音声に代えて所望の音楽をＢＧＭとして再生する。これにより、編集済みの音楽付き動画スライドショーコンテンツのような効果を、一切の編集作業などを行うことなく手軽に楽しめる。
【００２７】
次に、ＢＧＭデータの処理について説明する。
本実施形態では、スナップ再生モードで再生するためのＢＧＭとしての音楽データを、第１の記録媒体としてのＨＤＤ１１９に記録しておき、スナップ再生モード時にＨＤＤ１１９から音楽データを再生する第１の再生を行うことができる。
【００２８】
即ち、ユーザは、第２の音楽データが記憶されたメモリカード１２１をビデオカメラ２０１に装着する。そして、ユーザが操作キー１２４を操作し、メモリカード１２１からの第２の音楽データの取り込みを指示すると、メインマイコン１２５がフラッシュメモリカードドライバ／スロット１２０を制御する。そして、メモリカード１２１に記憶された第２の音楽データを読み出し、ＡＴＡＩ／Ｆ１１８に送る第２の再生を行う。メインマイコン１２５は、ＡＴＡＩ／Ｆ１１８を制御し、メモリカード１２１から読み出された第２の音楽データをＨＤＤ１１９に記録する。
【００２９】
また、本実施形態では、スナップ再生モードにおいて、ＨＤＤ１１９に記録された第１の音楽データの他、装着されたメモリカード１２１に記憶された第２の音楽データを読み出してＢＧＭとして出力することができる。そのため、ユーザは、メモリカード１２１を交換することで、ＨＤＤ１１９に記録された音楽データ以外の音楽をＢＧＭとして出力することができる。
【００３０】
また、ユーザは、操作キー１２４を操作して、スナップ再生モードにおいてＢＧＭとして再生する音楽データを、ＨＤＤ１１９とメモリカード１２１のどちらから再生するかを選択することができる。例えば、メモリカード１２１が選択されていた場合、スナップ再生開始の指示があると、ＨＤＤ１１９からスナップ撮影モードで記録された動画データを再生すると共に、メモリカード１２１から音楽データを再生する。そして、メモリカード１２１から再生された音楽データをＢＧＭとして出力する。なお、スナップ再生モード開始時にメモリカード１２１がビデオカメラ２０１に装着されていない場合には、ＨＤＤ１１９から音楽データを再生する。
【００３１】
次に、ＢＧＭデータの処理について説明する。
本実施形態では、スナップ再生モードで再生するためのＢＧＭとしての音楽データをＨＤＤ１１９に記録しておき、スナップ再生モード時にＨＤＤ１１９から音楽データを再生することができる。
即ち、ユーザは、音楽データが記憶されたメモリカード１２１をビデオカメラ２０１に装着する。そして、ユーザが操作キー１２４を操作し、メモリカード１２１からの音楽データの取り込みを指示すると、メインマイコン１２５がメモリカードドライバ１２０を制御して、メモリカード１２１に記憶された音楽データを読み出し、ＡＴＡＩ／Ｆ１１８に送る。メインマイコン１２５は、ＡＴＡＩ／Ｆ１１８を制御し、メモリカード１２１から読み出された音楽データをＨＤＤ１１９に記録する。
また、本実施形態では、スナップ再生モードにおいて、ＨＤＤ１１９に記録された音楽データの他、装着されたメモリカード１２１に記憶された音楽データを読み出してＢＧＭとして出力することができる。そのため、ユーザは、メモリカード１２１を交換することで、ＨＤＤ１１９に記録された音楽データ以外の音楽をＢＧＭとして出力することができる。
【００３２】
また、ユーザは、操作キー１２４を操作して、スナップ再生モードにおいてＢＧＭとして再生する音楽データを、ＨＤＤ１１９とメモリカード１２１のどちらから再生するかを選択することができる。例えば、メモリカード１２１が選択されていた場合、スナップ再生開始の指示があると、ＨＤＤ１１９からスナップ撮影モードで記録された動画データを再生すると共に、メモリカード１２１から音楽データを再生する。そして、メモリカード１２１から再生された音楽データをＢＧＭとして出力する。なお、スナップ再生モード開始時にメモリカード１２１がビデオカメラ２０１に装着されていない場合には、ＨＤＤ１１９から音楽データを再生する。
【００３３】
次に、スナップ再生モードの動作を、図を用いて説明する。図４は、スナップ再生モードの開始時にＢＧＭとしてＨＤＤ１１９から再生された音楽データを出力する場合の処理を説明するフローチャートである。
まず、ステップＳ４０１においてスナップ再生モードがスタートする。次に、ステップＳ４０２においてユーザによりスナップ再生モードが指示される。次に、ステップＳ４０３において、映像データがＨＤＤ１１９から読み出され、データバッファ１１５のバンク０に蓄積が開始される。それとともに、音楽データもＨＤＤ１１９から読み出され、データバッファ１１５のバンク１に蓄積が開始される（図３の「再生開始操作」）。なお、スナップ再生モードにおいてＢＧＭとして再生する音声データをユーザが操作キー１２４を操作して選択してもよいし、或いは、メインマイコン１２５が自動的に音楽データを選択する構成でもよい。
【００３４】
映像データが所定のバイト数、データバッファ１１５のバンク０に蓄積されると、ステップＳ４０４においてＨ．２６４コーデック１１４によるデコードが開始され、液晶パネル１１２に再生映像の表示が開始される。また、スピーカ１３０から音楽の出力が開始される。この再生が行われている間、ステップＳ４０５において、メモリカード１２１の装着状態がメモリカード検出スイッチ１２０aによって検出される。
【００３５】
例えば、スナップ再生開始の指示があったときにメモリカード１２１が装着されていなかった場合には、新たにメモリカード１２１が装着されてことをＳ４０５で検出する。また、スナップ再生開始の指示があったときに既にメモリカード１２１が装着されていた場合、このメモリカード１２１が一旦排出され、新たにメモリカード１２１が装着されたことをＳ４０５で検出することになる。
【００３６】
メモリカード１２１が新たに装着されたことを検出していない場合は、ステップＳ４０６においてそのまま再生が継続される。その後、ステップＳ４０７においてスナップ再生モードで再生すべき動画データの終点か否かが検出される。ステップＳ４０７の検出の結果、終点でない場合はステップＳ４０５に戻って前述した処理を行う。また、ステップＳ４０７の検出の結果、再生終了であった場合にはステップＳ４０８に進み、再生が停止される。なお、本実施形態では、スナップ再生モードにおいては、スナップ撮影モードで撮影された動画データだけを連続して再生する。そして、ステップＳ４０７では、ＨＤＤ１１９から、スナップ撮影モードで撮影された動画データを全て再生すると再生を終了する。
【００３７】
一方、ステップＳ４０５において、メモリカード１２１が新たに装着されたことを検出するとステップＳ４０９に進む。ステップＳ４０９においては、メモリカード１２１内に再生可能な音楽データがあるか否かを検出する。
【００３８】
ステップＳ４０９の検出の結果、再生可能な音楽データがある場合、ステップＳ４１０に進んでメモリカード１２１から音楽データを読み出して、データバッファ１１５のバンク２に蓄積を開始する（図３の「タイミングＡ」）。その後、ステップＳ４１１において、スナップ動画のクリップが切り替わったか否かを検出する。
【００３９】
ステップＳ４１１の検出の結果、スナップ動画の切り替わりが検出された場合、ステップＳ４１２に進み、ＢＧＭとして出力する音楽を、バンク２に蓄積された音楽データの再生音に切り替える（図３の「タイミングＢ」）。そして、ＨＤＤ１１９からの音楽データの再生を停止する。
【００４０】
また、ステップＳ４０９の検出の結果、メモリカード１２１に再生可能な音楽データが記録されていない場合は、ステップＳ４０６に進み、前述した動作を行い、再生音の切り替えは行わない。なお、図２に示す外部接続型ＨＤＤ２０２を、ＵＳＢケーブル２０３を用いて本体のＵＳＢ端子１２２に接続した場合も、メモリカード１２１の装着と同じ扱いとなる。すなわち、ステップＳ４０５において、新たなメモリカード１２１の装着が検出された場合と、同様の動作となる。
【００４１】
以上に説明した、スナップ動画再生モードにおける、音楽データの信号経路を図５及び図６に示す。図３の「再生開始操作」から「タイミングＡ」までの期間は図５の（１）で示す信号経路となり、「ＨＤＤ」→「バッファメモリのバンク１」→「音楽データがアナログ化され、出力」という経路である。
【００４２】
また、図３の「タイミングＡ」から「タイミングＢ」までの期間は図６の（２）で示す信号経路となり、「バッファメモリのバンク１」→「音楽データがアナログ化され、出力」という経路である。さらに、図３の「タイミングＢ」以降の期間は図６の（３）で示す信号経路となり、「メモリカード」→「バッファメモリのバンク２」→「音楽データがアナログ化され、出力」という経路となる。
【００４３】
以上説明したように、本実施形態では、スナップ再生モードにおいてメモリカード１２１が新たに装着されると、ＨＤＤ１１９からの音楽に代えて、メモリカード１２１から再生した音楽をＢＧＭとして出力する。このため、装着されたメモリカード１２１に記憶された音楽を確認し、ＢＧＭを切り替える作業が、少ない手順によって行うことが可能となる。さらに、メモリカードが装着されても、すぐにＢＧＭを切り替えるのでは無く、バッファメモリにメモリカードから再生した音楽データを記憶しておき、次の動画クリップの再生に移るタイミングでＢＧＭ再生を切り替える。そのため、動画クリップの切り替えタイミングとＢＧＭの切り替えタイミングを一致させることができ、違和感のないスナップ動画再生を行うことができる。
【００４４】
なお、メモリカードの装着時にＢＧＭの音声を切り替える際、切り替わり前の数秒間、音量を徐々に下げるフェードアウト処理、または切り替わり後の数秒間、音量を徐々に上げていくフェードイン処理を施す構成としてもよい。
【００４５】
この構成を用いた場合の制御例を、図７における「再生音量」の特性図に示す。図７では、音楽の切り替わりタイミングであるタイミングＢの前に、それまでの再生音量に対する減衰量が０ｄＢ（そのままの音量）から−∞ｄＢ（無音状態）まで徐々に音量制御される。そして、タイミングＢで音楽が切り替わった後、減衰量が−∞ｄＢから減衰量０ｄＢまで徐々に音量制御されることが示されている。この構成によれば、音楽の切り替えをさらに違和感なく行うことが可能である。
【００４６】
さらに、音楽データが記憶されたメモリカード１２１を装着した時に、メモリカード１２１に格納されている音楽データとＨＤＤ１１９に格納されている音楽データを比較して、音声データ同一識別を行う。そして、同一の音楽データと判定できた場合、再生音声の切り替えを行わない構成としてもよい。なお、音楽データの比較の方法としては、両者の音楽データの容量のみを比較する方法でもよいし、または音楽データそのものをすべて比較する方法でもよい。この構成では、図４のフローチャートにおけるステップＳ４０９とステップＳ４１０の間に、図８に示すステップＳ８０１のステップが加わる。
【００４７】
図８において、ステップＳ４０９において、メモリカード１２１に音楽データがあることが検出されると、ステップＳ８０１に進み、その音楽データが、ＨＤＤ１１９に格納されている音楽データと同一であるかが検出される。この検出の結果、異なったデータであると検出されると、図４のステップＳ４１０以降の動作となり、メモリカード１２１内の音楽データ再生に切り替わる。以降は、図４のフローチャートの説明と同様の動作が行われる。
【００４８】
また、ステップＳ８０１において、メモリカード１２１に格納されている音楽データと、ＨＤＤ１１９に格納されている音楽データとが同一であると検出されると、図４のステップＳ４０６以降の処理に移る。この場合、音声の切り替えは行われず、以降は図４のフローチャートの説明と同様の動作が行われる。
【００４９】
この構成では、ＨＤＤ１１９に格納されている音楽データと、メモリカード１２１に格納されている音楽データとが同一である場合、音声の切り替えが行われない。このため、ＨＤＤ１１９に入っている音楽の内容がだぶっているメモリカード１２１が装着されても、音楽の出力には影響しない構成を提供することができる。
【００５０】
さらに、本実施形態におけるデータバッファ１１５の、バンク１（１１５ｂ）の最大容量を可変とする。そして、スナップ動画撮影モードにおける、ユーザが記録開始の操作を行ってから記録が自動停止するまでの設定時間に応じて、バンク１の最大容量を調整する構成としてもよい。
【００５１】
図９（ａ）は設定時間が短いため、バンク１の容量が少なくなり、図９（ｂ）は設定時間が長いため、バンク１の容量を多く取っている状態を示している。この構成により、長い動画クリップの再生中にメモリカード１２１が抜かれたためにバンク１に蓄積されている音楽データが空になってしまい、再生する音楽が途切れてしまうおそれをなくすことができる。
【００５２】
また、本実施形態では、メモリカード１２１を装着した場合に伴う音楽の切り替えタイミングを、図３のタイミングＢに示すように、動画クリップの切り替わりのタイミングに合わせている。しかし、図１０または図１１に示すように、音楽の切り替えタイミングを、メモリカード１２１を抜いたタイミングであるタイミングＡとする。そして、動画クリップの再生を同時に、再生しているクリップの先頭、または収録されているすべての動画クリップのうち、最初に再生されるべき動画クリップの先頭に戻す構成としてもよい。
【００５３】
この構成では、新たに音楽カードを装着し、音楽再生が切り替わると同時に動画クリップも所定の先頭位置に戻る。これにより、複数枚の音楽カードの中から、動画クリップの雰囲気に合った音楽を、次々に音楽カードを差し替えて探す際に、同一の動画クリップに対して複数の音楽を試す操作を簡潔に行うことができる。
【００５４】
なお、本実施形態のビデオカメラでは、動画データを撮影していたが、静止画データも撮影し、ＨＤＤ１１９に記録する構成としてもよい。そして、記録された静止画データを、あらかじめ設定された第２の設定時間の間隔で切り替えながら連続して再生するスライドショー機能を設ける。そして、このスライドショー再生において、前記の如くメモリカードから音楽データを再生し、ＢＧＭとして出力することも可能である。
【００５５】
この際、前述の実施形態と同様、スライドショー再生中に新たにメモリカードが装着されると、ＢＧＭをメモリカードからの音楽に切り替える。この場合は、図１２に示すように、静止画２を表示中のタイミングＡにメモリカード１２１を抜いた場合、静止画２の設定秒間の再生中はバンク１の音楽データを引き続き再生する。そして、静止画３に切り替わるタイミングＢに、バンク２の音楽データの再生に切り替わる。
【００５６】
また、本実施形態のビデオカメラ２０１は、内蔵のハードディスクドライブに対して動画データと音楽データを記録再生する構成であったが、ハードディスクに代えて、メモリカード等、着脱可能な記録媒体を用いる構成でもよい。
【００５７】
（本発明に係る他の実施の形態）
前述した本発明の実施の形態における画像再生装置を構成する各手段は、コンピュータのＲＡＭやＲＯＭなどに記憶されたプログラムが動作することによって実現できる。このプログラム及びプログラムを記録したコンピュータ読み取り可能な記録媒体は本発明に含まれる。
【００５８】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００５９】
なお、本発明は、前述した画像再生方法における各工程を実行するソフトウェアのプログラムを、システムあるいは装置に直接、あるいは遠隔から供給する。実施の形態では図４、図８に示すフローチャートに対応したプログラム供給する。そして、そのシステムあるいは装置のコンピュータが前記供給されたプログラムコードを読み出して実行することによっても達成される場合を含む。
【００６０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６１】
その場合、プログラムの機能を有していれば、オブジェクトコード、インタプリタにより実行されるプログラム、ＯＳに供給するスクリプトデータ等の形態であってもよい。
【００６２】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６３】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００６４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６６】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００６７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【符号の説明】
【００６８】
１０８  画像／音声データバス、１１２  液晶パネル、１１３  液晶ドライバ、１１４  Ｈ．２６４コーデック、１１５  データバッファ、１１５ａ  バンク０、１１５ｂ  バンク１、１１５ｃ  バンク２、１１６  ビデオ出力端子、１１７  ＮＴＳＣエンコーダ、１１８  ＡＴＡインターフェース、１１９  ハードディスクドライブ（ＨＤＤ）、１２０  フラッシュメモリカードドライバ／スロット、１２０ａ  検出スイッチ、１２１  フラッシュメモリカード、１２２  ＵＳＢ端子、１２３  ＵＳＢコントローラ、１２４  操作キー、１２５  メインマイコン、１２６  ＲＡＭ、１２７  ＥＥＰＲＯＭ、１２８  制御バス、１２９  Ｄ／Ａコンバータ、１３０  スピーカ
【図１】
2010268246.tif 000003
【図２】
2010268246.tif 000004
【図３】
2010268246.tif 000005
【図４】
2010268246.tif 000006
【図５】
2010268246.tif 000007
【図６】
2010268246.tif 000008
【図７】
2010268246.tif 000009
【図８】
2010268246.tif 000010
【図９】
2010268246.tif 000011
【図１０】
2010268246.tif 000012
【図１１】
2010268246.tif 000013
【図１２】
2010268246.tif 000014